(57)【要約】  【課題】  主として男子用小便器の排水部分に尿石が付着するのを防止する尿石付着防止剤等の徐用性薬剤に関し、尿石が付着するのを未然に防止することができ、しかも一般の使用者でも取り扱いが容易で安全性が極めて高い尿石付着防止剤等の徐溶性薬剤を提供することを課題とする。  【解決手段】  尿石付着防止剤等の徐溶性薬剤に、納豆菌（Bacillus Natto）若しくは納豆菌の培養物と、天然高分子からなるゲル化剤と、天然高分子からなる溶解遅延剤と、植物性抽出液からなる消臭剤とを含有させたことを特徴とする。【選択図】  なし【特許請求の範囲】
【請求項１】
納豆菌（Bacillus Natto）若しくは納豆菌培養物と、天然高分子からなるゲル化剤と、天然高分子からなる溶解遅延剤と、植物性抽出液からなる消臭剤とを含有することを特徴とする尿石付着防止剤等の徐溶性薬剤。
【請求項２】
天然高分子からなるゲル化剤が、混合物中に５０重量％以上のイオタ型カラギーナンを含むカラギーナン混合物からなるゲル化剤である請求項１記載の尿石付着防止剤等の徐溶性薬剤。
【請求項３】
天然高分子からなる溶解遅延剤が、ファーセレランである請求項１又は２記載の尿石付着防止剤等の徐溶性薬剤。
【請求項４】
納豆菌（Bacillus Natto）若しくは納豆菌培養物と、天然高分子からなる溶解遅延性のゲル化剤と、植物性抽出液からなる消臭剤とを含有することを特徴とする尿石付着防止剤等の徐溶性薬剤。
【請求項５】
天然高分子からなる溶解遅延性のゲル化剤が、ファーセレランである請求項４記載の尿石付着防止剤等の徐溶性薬剤。
【請求項６】
消臭剤である植物性抽出液が、松、ヒノキ、ヒバ、竹、茶葉の抽出液、若しくはレモン油、オレンジ油、ライム油、ベルガモット油、セダー油、シナモン油、カンファー油、ジンジャー油、ラベンダー油、ローズマリー油、タイム油、セージ油、コパイバ油の少なくとも１種以上を含有する請求項１乃至５のいずれかに記載の尿石付着防止剤等の徐溶性薬剤。
【請求項７】
界面活性剤が含有されている請求項１乃至６のいずれかに記載の尿石付着防止剤等の徐溶性薬剤。
【請求項８】
キレート剤が含有されている請求項１乃至７のいずれかに記載の尿石付着防止剤等の徐溶性薬剤。
【発明の詳細な説明】
【技術分野】
【０００１】
本発明は、徐溶性薬剤、主として男子用小便器の排水部分に尿石が付着するのを防止する尿石付着防止剤等の徐溶性薬剤に関する。
【背景技術】
【０００２】
一般に、男子用小便器の下部排水部には目皿と称される器具が設置され、その目皿が設置された排水部から尿が排出されることとなる。このような小便器には、付着した尿から尿中の成分であるカルシウムやリン等の塩類が析出凝固して、尿石となって付着、固化するが、特に上記のような排水部に付着した尿石を除去するのは、清掃等によっても容易ではない。このような清掃等によっても除去し難い小便器の排水部に付着した尿石をそのまま放置しておくと、クラックにより便器を破損させるおそれがあるため、速やかに除去する必要がある。
【０００３】
このような尿石除去の手段として、清掃時に用いる洗剤等では容易に除去できないことから、一般には、塩酸やスルファミン酸等の酸類が用いられている。これらの酸類は、それなりに除去効果はあるが、これらの塩酸やスルファミン酸等は強酸であるため、その製造時はもとより、使用時の取り扱いや作業環境の安全性の面で問題があった。
【０００４】
また、これらの酸類は、便器排水部の下部に金属製の配管が存在する場合には、その配管を腐食させることになる。さらに、有毒ガスの発生等、人体に悪影響を及ぼすおそれがあるだけでなく、地球環境破壊の観点からも好ましくない。
【０００５】
そこで、これらの問題点に鑑み、下記特許文献１のような特許出願もなされている。特許文献１に係る発明は、水酸化カリウム、リン酸、炭酸ナトリウム、過酸化水素水等の中から選択されたいくつかを主成分として含有する中性水溶液からなるものである。
【０００６】
【特許文献１】特開２０００−２９６１７１号公報
【０００７】
しかしながら、この特許文献１に係る発明は、一般に用いられていた塩酸やスルファミン酸を用いるものではないとはいえ、酸やアルカリ類を選択的に用いるものであるので、取り扱いや作業環境の安全性という問題を根本的に解決しうるものではなく、少なくとも一般の作業者にとって取り扱いが容易なものではない。また酸やアルカリ類を選択的に用いるものであるので、配管を腐食させるおそれも解消されない。しかも安全性が確保されているわけでもない。また、便器排水部の下部や配管部分に至る流路には、有機性の廃棄物を分解するような有用な微生物が存在するため、上記のような酸やアルカリ類が、このような流路に流入することは、これらの有用微生物群にとって本来は好ましいことではない。
【０００８】
このような男子用小便器は、近年の一般家庭の家屋においては、ほとんど設置されなくなったが、公園、鉄道の駅や車両の内部、映画館、高速道路の休憩所等、公衆の場においては未だに設置されており、清掃作業者の確保が年々困難になっていることから、このような公衆便所の男子用小便器に、尿石の付着を防止しうるような薬剤であって、上述のような酸類等に代わるものを用いることが要請されている。
【発明の開示】
【発明が解決しようとする課題】
【０００９】
本発明は、このような問題点を解決するためになされたもので、尿石が付着するのを未然に防止することができ、しかも一般の使用者でも取り扱いが容易で安全性が極めて高い尿石付着防止剤等の徐溶性薬剤を提供することを課題とする。
【課題を解決するための手段】
【００１０】
本発明は、このような課題を解決するためになされたもので、請求項１記載の発明は、尿石付着防止剤等の徐溶性薬剤に、納豆菌（Bacillus Natto）若しくは納豆菌の培養物と、天然高分子からなるゲル化剤と、天然高分子からなる溶解遅延剤と、植物性抽出液からなる消臭剤とを含有させたことを特徴とする。
【００１１】
また請求項２記載の発明は、請求項１記載の尿石付着防止剤等の徐溶性薬剤において、天然高分子からなるゲル化剤が、混合物中に５０重量％以上のイオタ型カラギーナンを含むカラギーナン混合物からなるゲル化剤であることを特徴とする。さらに請求項３記載の発明は、請求項１又は２記載の尿石付着防止剤等の徐溶性薬剤において、天然高分子からなる溶解遅延剤が、ファーセレランであることを特徴とする。さらに請求項４記載の発明は、尿石付着防止剤等の徐溶性薬剤に、納豆菌（Bacillus Natto）若しくは納豆菌培養物と、天然高分子からなる溶解遅延性のゲル化剤と、植物性抽出液からなる消臭剤とを含有することを特徴とする。さらに請求項５記載の発明は、請求項４記載の尿石付着防止剤等の徐溶性薬剤において、天然高分子からなる溶解遅延性のゲル化剤が、ファーセレランであることを特徴とする。
【００１２】
さらに請求項６記載の発明は、請求項１乃至５のいずれかに記載の尿石付着防止剤等の徐溶性薬剤において、消臭剤である植物性抽出液が、松、ヒノキ、ヒバ、竹、茶葉の抽出液、若しくはレモン油、オレンジ油、ライム油、ベルガモット油、セダー油、シナモン油、カンファー油、ジンジャー油、ラベンダー油、ローズマリー油、タイム油、セージ油、コパイバ油の少なくとも１種以上を含有することを特徴とする。さらに請求項７記載の発明は、請求項１乃至６のいずれかに記載の尿石付着防止剤等の徐溶性薬剤において、界面活性剤が含有されていることを特徴とする。さらに請求項８記載の発明は、請求項１乃至７のいずれかに記載の尿石付着防止剤等の徐溶性薬剤において、キレート剤が含有されていることを特徴とする。
【発明の効果】
【００１３】
本発明の尿石付着防止剤等の徐溶性薬剤は、納豆菌（Bacillus Natto）若しくは納豆菌の培養物を含有させたものであるため、このような尿石付着防止剤等の徐溶性薬剤を予め男子用小便器の目皿等の部分に設置しておくことで、納豆菌（Bacillus Natto）の作用により、尿石の付着が防止されることとなる。しかも、納豆菌（Bacillus Natto）には消臭作用があり、小便器の長期使用による悪臭も緩和されることとなる。また、納豆菌（Bacillus Natto）自体、食用にも用いられるようなものであるので、人体に対する安全性も高いものである。
【００１４】
また本発明の尿石付着防止剤等の徐溶性薬剤は、天然高分子からなるゲル化剤を含有させたものであるため、薬剤自体が優れた保形性を有し、小便器の目皿等の部分に容易に設置することができる。またゲル化剤が天然高分子からなるため、安全性も高いものである。
【００１５】
さらに本発明の尿石付着防止剤等の徐溶性薬剤は、天然高分子からなる溶解遅延剤を含有させたものであるため、尿の液分等によりゲル化剤が速く溶解するのが好適に防止されることとなる。しかも溶解遅延剤が天然高分子からなるため、安全性も高いものである。      
【００１６】
さらに本発明の尿石付着防止剤等の徐溶性薬剤は、植物性抽出液からなる消臭剤を含有させたものであるため、上記納豆菌との相乗作用により、消臭効果が非常に優れたものとなる。しかも消臭剤が植物性抽出液からなるものであるため、安全性も高いものである。      
【００１７】
さらに、天然高分子からなるゲル化剤としてカラギーナン混合物からなるものを用いる場合には、カラギーナン自体が海藻から抽出される粘質物であるので、より安全性の高いものとなる。特にイオタ型カラギーナンは、小便器の目皿部分に設置する尿石付着防止剤のゲル化剤としては、固さや溶解性等の物性が最も適しており、このようなイオタ型カラギーナンをカラギーナン混合物中に５０重量％以上含ませることで、尿石付着防止剤としてより好適に使用することができる。
【００１８】
さらに、天然高分子からなる溶解遅延剤としてファーセレランを使用する場合には、カラギーナン混合物からなるゲル化剤の水に対する溶解を遅延させる効果が非常に優れたものになる。またファーセレラン自体も食用に用いられるものであるので、人体に対する安全性も高いものである。尚、このファーセレランは、ゲル化剤としても使用することができ、従って、カラギーナン混合物を用いずに、このファーセレランのみを、溶解遅延剤とゲル化剤とを兼用する溶解遅延性のゲル化剤として用いることができる。
【発明を実施するための最良の形態】
【００１９】
本実施形態の尿石付着防止剤には、付着防止剤原液、酸化防止剤、ゲル化剤、溶解遅延剤等が配合されている。付着防止剤原液には、納豆菌培養物、キレート剤、界面活性剤、植物性抽出液からなる消臭剤、アルコール、乳白剤、色素が含有されている。
【００２０】
付着防止剤原液の各成分の配合量は特に限定されないが、植物性抽出液からなる消臭剤が１．０〜２．５重量％、キレート剤が０．３〜０．５重量％、界面活性剤が１．２〜１．５重量％、アルコールが１．２〜１．５重量％であることが好ましい。納豆菌培養物は、これを除く残量となるが、納豆菌を培養する培地成分を除いてほとんどが水である。ｐＨは７．０〜９．０程度に調整される。
【００２１】
キレート剤としては、たとえばエチレンジアミン四酢酸ソーダ、ヒドロキシエチルエチレンジアミン三酢酸、ニトリロ三酢酸、ジエチレントリアミン五酢酸等が用いられる。また、界面活性剤としては、たとえばアルコキシレート直鎖アルコール、ラウリルアルコールやオレイルアルコール等の天然アルコール系界面活性剤、ノニルフェノールエトキシレート等のアルキルフェノール系界面活性剤等が用いられる。さらに、納豆菌培養物としては、市販の納豆菌をたとえばスクロース、グルコース等の糖類や大豆タンパク質等を含む培地で培養した培養物のようなものが用いられる。色素としては、たとえば食用青色一号（癸巳化成株式会社製）のような天然色素が用いられる。さらに、植物性抽出液からなる消臭剤としては、たとえば松、ヒノキ、ヒバ、竹、茶葉の抽出液、若しくはレモン油、オレンジ油、ライム油、ベルガモット油、セダー油、シナモン油、カンファー油、ジンジャー油、ラベンダー油、ローズマリー油、タイム油、セージ油、コパイバ油等を使用することができ、またこれらの２種以上を組み合わせて使用することもできる。また、これ以外の植物性抽出液を用いることも可能である。
【００２２】
さらに、ゲル化剤としては、本発明では主としてカラギーナン混合物が用いられる。このカラギーナン混合物とは、分子構造の異なる異性体を混合したものであり、本発明では、一般に３種の異性体として知られているカッパー型カラギーナン、イオタ型カラギーナン、ラムダ型カラギーナンのうち、主としてイオタ型カラギーナンを６０〜９０重量％含み、カッパー型カラギーナンを１０〜３０重量％含むものが用いられる。
【００２３】
また、溶解遅延剤としては、たとえばファーセレランやローカーストビーンガムが用いられる。尚、ファーセレランは、ゲル化剤としても使用することができる。従って、このファーセレランを配合する場合には、カラギーナン混合物等の他のゲル化剤を配合することなく、ファーセレラン単独で溶解遅延剤とゲル化剤とを兼用する溶解遅延性のゲル化剤として用いることができる。さらに、酸化防止剤としては、たとえばジブチルヒドロキシトルエン、エルソルビン酸、エルソルビン酸ナトリウム、クエン酸イソプロピル、ｄｌ−α−トコフェロール、ノルジヒドログアヤレック酸、没食子酸のようなものが用いられる。
【実施例】
【００２４】
以下、本発明の実施例について説明する。
【００２５】
（実施例１）
本実施例の尿石付着防止剤の組成は、次のとおりである。
成分                                      配合量（重量％）
付着防止剤原液                                  ９４．９％
カラギーナン混合物                                １．０％
ファーセレラン                                    １．８％
ローカーストビーンガム                            ０．２％
エチレンジグリコール                              ２．０％
ジブチルヒドロキシトルエン                        ０．１％
【００２６】
カラギーナン混合物としては、イオタ型カラギーナンを８０重量％、カッパー型カラギーナンを２０重量％含むもの（商品名ＮＥＷＧＥＬＩＮ  Ｘ−04122Ｓ：中央フーズマテリアル株式会社）を用いた。
【００２７】
また、付着防止剤原液の組成は、次のとおりである。
成分                                      配合量（重量％）
納豆菌培養物                                    ９４．２％
植物性抽出液消臭剤                                １．５％
エチレンジアミン四酢酸ソーダ                      ０．４％
アルコキシレート直鎖アルコール                    １．３％
エトキシレートアルコール                          １．３％
乳白剤                                            ０．３％
天然色素                                          １．０％
尚、納豆菌培養物は、次のように調製した。すなわち、スクロース３０．０ｇ、大豆ペプトン４０．０ｇ、リン酸カリウム２．５ｇ、塩化ナトリウム５．０ｇ、水９００ｍL の組成からなる液体培地を調製し、この液体培地を、２０００ｍL 容のフラスコに入れて殺菌した後、市販の納豆菌を接種し、３５℃の恒温器にて２０日間静置培養を行ない、これを上記納豆菌培養物として用いた。
【００２８】
本実施例の尿石付着防止剤のゲル化点は４４℃であった。
【００２９】
（実施例２）
本実施例の尿石付着防止剤の組成は、次のとおりである。
成分                                      配合量（重量％）
付着防止剤原液                                  ９４．９％
カラギーナン混合物                                １．５％
ファーセレラン                                    １．４％
ローカーストビーンガム                            ０．１％
エチレンジグリコール                              ２．０％
ジブチルヒドロキシトルエン                        ０．１％
【００３０】
カラギーナン混合物としては、上記実施例１と同じものを用いた。また、付着防止剤原液の組成は、上記実施例１と同じである。本実施例の尿石付着防止剤のゲル化点は４２℃であった。
【００３１】
（実施例３）
本実施例の尿石付着防止剤の組成は、次のとおりである。
成分                                      配合量（重量％）
付着防止剤原液                                  ９４．９％
カラギーナン混合物                                １．０％
ファーセレラン                                    １．８％
ローカーストビーンガム                            ０．２％
エチレンジグリコール                              ２．０％
ジブチルヒドロキシトルエン                        ０．１％
【００３２】
カラギーナン混合物としては、イオタ型カラギーナンを７０重量％、カッパー型カラギーナンを３０重量％含むもの（商品名ＮＥＷＧＥＬＩＮ  Ｘ−04123Ｓ：中央フーズマテリアル株式会社）を用いた。
【００３３】
また、付着防止剤原液の組成は、上記実施例１と同じである。本実施例の尿石付着防止剤のゲル化点は４５℃であった。
【００３４】
（実施例４）
本実施例の尿石付着防止剤の組成は、次のとおりである。
成分                                      配合量（重量％）
付着防止剤原液                                  ９４．９％
カラギーナン混合物                                １．５％
ファーセレラン                                    １．４％
ローカーストビーンガム                            ０．１％
エチレンジグリコール                              ２．０％
ジブチルヒドロキシトルエン                        ０．１％
【００３５】
カラギーナン混合物としては、上記実施例３と同じものを用いた。また、付着防止剤原液の組成は、上記実施例１と同じである。本実施例の尿石付着防止剤のゲル化点は４２℃であった。
【００３６】
（実施例５）
本実施例の尿石付着防止剤の組成は、次のとおりである。
成分                                      配合量（重量％）
付着防止剤原液                                  ９４．９％
カラギーナン混合物                                ２．０％
ファーセレラン                                    ０．９％
ローカーストビーンガム                            ０．１％
エチレンジグリコール                              ２．０％
ジブチルヒドロキシトルエン                        ０．１％
【００３７】
カラギーナン混合物としては、上記実施例１と同じものを用いた。また、付着防止剤原液の組成は、上記実施例１と同じである。本実施例の尿石付着防止剤のゲル化点は４２℃であった。
【００３８】
（実施例６）
本実施例の尿石付着防止剤の組成は、次のとおりである。
成分                                      配合量（重量％）
付着防止剤原液                                  ９４．９％
カラギーナン混合物                                ２．５％
ファーセレラン                                    ０．５％
エチレンジグリコール                              ２．０％
ジブチルヒドロキシトルエン                        ０．１％
【００３９】
カラギーナン混合物としては、上記実施例１と同じものを用いた。また、付着防止剤原液の組成は、上記実施例１と同じである。本実施例の尿石付着防止剤のゲル化点は３８℃であった。
【００４０】
（実施例７）
本実施例の尿石付着防止剤の組成は、次のとおりである。
成分                                      配合量（重量％）
付着防止剤原液                                  ９４．９％
カラギーナン混合物                                ２．０％
ファーセレラン                                    ０．９％
ローカーストビーンガム                            ０．１％
エチレンジグリコール                              ２．０％
ジブチルヒドロキシトルエン                        ０．１％
【００４１】
カラギーナン混合物としては、上記実施例３と同じものを用いた。また、付着防止剤原液の組成は、上記実施例１と同じである。本実施例の尿石付着防止剤のゲル化点は４１℃であった。
【００４２】
（実施例８）
本実施例の尿石付着防止剤の組成は、次のとおりである。
成分                                      配合量（重量％）
付着防止剤原液                                  ９４．９％
カラギーナン混合物                                ２．５％
ファーセレラン                                    ０．５％
エチレンジグリコール                              ２．０％
ジブチルヒドロキシトルエン                        ０．１％
【００４３】
カラギーナン混合物としては、上記実施例３と同じものを用いた。また、付着防止剤原液の組成は、上記実施例１と同じである。本実施例の尿石付着防止剤のゲル化点は３８℃であった。
【００４４】
（試験例）
上記実施例１乃至８について、水への溶解性の試験を行なった。試験方法は、実際の小便器に近い形態の小形小便器を４基準備し、それぞれの小形小便器の目皿の近辺に実施例１乃至８の尿石付着防止剤を設置し、８時間で１０回使用すると設定し、約１時間毎に１回程度の割合で、水温が２０〜２５℃の洗浄水約２Lを流して経時変化を観察した。
【００４５】
試験の結果、実施例１及び実施例３の尿石付着防止剤は、市販の尿石付着防止剤でゲル化剤を含むものに比べて水への溶解時間が約５培と長く、溶解遅延性が非常に優れたものであった。また、実施例４の溶解時間も市販の尿石付着防止剤の約３培であり、実施例２の溶解時間は市販の尿石付着防止剤の約２培であった。さらに実施例５乃至８の溶解時間は市販の尿石付着防止剤の約１．５培であった。
【００４６】
いずれの実施例も市販の尿石付着防止剤に比べて溶解遅延性が優れていたが、ファーセレランの配合量が多い程、溶解時間が長くて溶解遅延性に優れており、従って本試験例からファーセレランの優れた溶解遅延性を確認することができた。
【００４７】
（その他の実施例）
尚、上記実施例では、納豆菌培養物の培地の糖成分としてスクロースを用いたが、これに代えてグルコースを用いることも可能である。また、大豆ペプトン以外の大豆タンパク質を用いることも可能である。また、尿石付着防止剤中の配合成分や配合量は上記実施例に限定されるものではなく、配合成分としてはすでに述べたように種々のものを使用することができる。
【００４８】
さらに、本発明は、上述のように尿石付着防止剤を収納するための収納器を主眼とするものであるが、尿石付着防止剤以外の徐溶性薬剤用収納器にも本発明を適用することができる。
【産業上の利用可能性】
【００４９】
本発明は、男子用小便器の排水部分に尿石が付着するのを防止する尿石付着防止剤を収納して上記排水部分に設置するための収納器、その他の徐溶性薬剤用の収納器に広く適用することができる。